(57)【特許請求の範囲】
【請求項１】
アンテナを有する電子機器を内部に設置する遮蔽部本体を備えた電波指向性制御装置であって、
前記遮蔽部本体は、電波遮蔽性を有するとともに、
所定の方向が開口した開口部と、
前記開口部の開口面積および開口位置を調整可能な、かつ、電波遮蔽性を有する開口部調整部と
を備え、
前記遮蔽部本体と前記開口部調整部とは、それぞれ略半円筒状に形成されるとともに、前記開口部調整部が前記開口部を覆う状態にあるとき、略円筒状に組み合わされるように構成され、
前記開口部調整部は、前記遮蔽部本体の曲面に沿ってスライド可能に構成されていることを特徴とする電波指向性制御装置。
【請求項２】
アンテナを有する電子機器を内部に設置する遮蔽部本体を備えた電波指向性制御装置であって、
前記遮蔽部本体は、電波遮蔽性を有するとともに、
所定の方向が開口した開口部と、
前記開口部の開口面積および開口位置を調整可能な、かつ、電波遮蔽性を有する開口部調整部と
を備え、
前記開口部調整部は、同一のレールに沿って互いに移動可能な一対のスライド扉で構成されており、
前記開口部の縁部の少なくとも一部に、前記縁部における前記スライド扉に対して直交するように導電性を有するフランジを備えたことを特徴とする電波指向性制御装置。
【請求項３】
前記遮蔽部本体と前記開口部調整部とは、それぞれ略半円筒状に形成されるとともに、前記開口部調整部が前記開口部を覆う状態にあるとき、略円筒状に組み合わされるように構成され、
前記開口部調整部は、前記遮蔽部本体の曲面に沿ってスライド可能に構成されていることを特徴とする請求項２に記載の電波指向性制御装置。
【請求項４】
前記電子機器に対向する部位の少なくとも一部に、前記アンテナから放射される電波を吸収する電波吸収性を有することを特徴とする請求項１から請求項３のいずれか１項に記載の電波指向性制御装置。
【請求項５】
前記電波吸収性は、λ／４型電波吸収体を有することで達成されることを特徴とする請求項４に記載の電波指向性制御装置。
【請求項６】
前記遮蔽部本体は、磁性体シートを備えたことを特徴とする請求項１から請求項５のいずれか１項に記載の電波指向性制御装置。
【請求項７】
前記電波吸収性は、広帯域電波吸収体を有することで達成されることを特徴とする請求項４に記載の電波指向性制御装置。
【請求項８】
前記遮蔽部本体は、電波遮蔽性を有する金属製の筐体を備えたことを特徴とする請求項１から請求項７のいずれか１項に記載の電波指向性制御装置。
【請求項９】
前記筐体は、複数の金属部材を組み付けて構成されており、これらの複数の金属部材が溶接によって接合されていることを特徴とする請求項８に記載の電波指向性制御装置。
【請求項１０】
前記筐体は、アルミニウムまたはアルミニウム合金から形成されたことを特徴とする請求項８または請求項９に記載の電波指向性制御装置。
【請求項１１】
前記遮蔽部本体は、電波妨害を防止しつつ、前記遮蔽部本体の外部から内部にケーブルを配線可能とするＥＭＩダクトを備えたことを特徴とする請求項１から請求項１０のいずれか１項に記載の電波指向性制御装置。
【請求項１２】
前記ＥＭＩダクトを介して、前記遮蔽部本体の外部から内部にケーブルが配設されており、前記ケーブルは、ノイズを吸収するノイズ吸収体に被覆されたことを特徴とする請求項１１に記載の電波指向性制御装置。
【請求項１３】
前記遮蔽部本体は、その内部に照明を備えることを特徴とする請求項１から請求項１２のいずれか１項に記載の電波指向性制御装置。
【請求項１４】
前記遮蔽部本体は、建物内部に設置された前記電子機器を覆うように配設されていることを特徴とする請求項１から請求項１３のいずれか１項に記載の電波指向性制御装置。
【発明の詳細な説明】
【技術分野】
【０００１】
本発明は、電子機器等のアンテナにおいて、電波の指向性を制御するための装置に関する。
【背景技術】
【０００２】
近年、各パソコンやプリンタを相互接続するネットワーク構築において、無線ＬＡＮ（Local Aria Network）が急速に普及しつつある。無線ＬＡＮは、無線通信でデータの送受信を行うＬＡＮであり、ケーブルによる配線等の制約がないため、特に注目されている。しかし、この無線ＬＡＮに使用される電子機器の内蔵アンテナは、ほとんどが無指向性であるため、オフィスビルやマンションなど世帯数の多い所で無線ＬＡＮを使用する場合、アンテナから放射される電波が近隣の部屋などにも漏洩する。このため、セキュリティ面から何らかの対策が必要となっている。従来、その指向性を制御する種々の技術が提案されている（例えば、特許文献１〜特許文献３参照）。
【０００３】
特許文献１では、その公報の図１に示される通り、キャビティ（１５）の内部中央に、アンテナ素子（１２）を配置するとともに、このアンテナ（１２）の周りに、コ字型形状導体を配置したアンテナが記載されている。このアンテナでは、そのような構造により双指向性が得られている。
【０００４】
特許文献２では、立設された無指向性のアンテナの周囲に反射器を配置したアンテナ装置が記載されている。反射器は、アンテナの上方に向けて延出する着脱自在な屋根部を有し、この屋根部を適宜装着することで、垂直面内の放射パターン（指向性）を斜め下向きにするものである。
【０００５】
特許文献３では、エレメント部（アンテナ素子）に、筒状の反射器を差し込んで構成されるアンテナが記載されている。このアンテナでは、筒状の反射器を適宜回動させることで、特定方向への指向性を形成している。
【特許文献１】特開２００２−３０５４１０号公報（請求項１、段落００４４〜００４７、図１）
【特許文献２】特開２００４−２８２３１６号公報（請求項１、段落００１８〜００２３、図２）
【特許文献３】特開２００２−３２５０１０号公報（請求項１、段落００３０，００３１、図２）
【発明の開示】
【発明が解決しようとする課題】
【０００６】
しかしながら、前記従来技術においては、電子機器の内蔵アンテナから放射される電波の指向性の変更を目的として、反射器を着脱したり反射器の向きを変えたりするには、電子機器の外装を取り外さなければ、作業をすることができなかった。したがって、一般ユーザが、個々の電子機器の使用状態に応じて、内蔵される電波の指向性を制御することは困難であった。
【０００７】
そこで、このような問題を解決すべく、一般ユーザが、無線ＬＡＮにおける電子機器の使用状態に応じて、電波の指向性を簡単に制御することができる電波指向性制御装置を提供することを課題とする。
【課題を解決するための手段】
【００１６】
前記課題を解決するための手段として、請求項１に係る発明は、アンテナを有する電子機器を内部に設置する遮蔽部本体を備えた電波指向性制御装置であって、前記遮蔽部本体は、電波遮蔽性を有するとともに、所定の方向が開口した開口部と、前記開口部の開口面積および開口位置を調整可能な、かつ、電波遮蔽性を有する開口部調整部とを備え、前記遮蔽部本体と前記開口部調整部とは、それぞれ略半円筒状に形成されるとともに、前記開口部調整部が前記開口部を覆う状態にあるとき、略円筒状に組み合わされるように構成され、前記開口部調整部は、前記遮蔽部本体の曲面に沿ってスライド可能に構成されていることを特徴とする。
【００１７】
このような電波指向性制御装置によれば、電子機器を遮蔽部本体の内部に設置することで、その電子機器が有するアンテナは、放射する電波を遮蔽部本体により遮蔽され、その指向性が変えられる。また、開口部調整部で開口部の開口面積および開口位置が調整されることで、アンテナから放射される電波は、遮蔽される方向や範囲が変えられ、所定の方向に向かう。これにより、電波の指向性を制御することができる。さらに、開口部調整部をスライドするだけで、アンテナから放射される電波は、遮蔽される方向や範囲が変えられ、所定の方向に向かう。これにより、所定の範囲内で電波の指向性を制御することができる。
【００１８】
請求項２に係る発明は、アンテナを有する電子機器を内部に設置する遮蔽部本体を備えた電波指向性制御装置であって、前記遮蔽部本体は、電波遮蔽性を有するとともに、所定の方向が開口した開口部と、前記開口部の開口面積および開口位置を調整可能な、かつ、電波遮蔽性を有する開口部調整部とを備え、前記開口部調整部は、同一のレールに沿って互いに移動可能な一対のスライド扉で構成されており、前記開口部の縁部の少なくとも一部に、前記縁部における前記スライド扉に対して直交するように導電性を有するフランジを備えたことを特徴とする。
【００１９】
このような電波指向性制御装置によれば、電子機器を遮蔽部本体の内部に設置することで、その電子機器が有するアンテナは、放射する電波を遮蔽部本体により遮蔽され、その指向性が変えられる。また、開口部調整部を構成するスライド扉をスライドするだけで、開口部調整部で開口部の開口面積および開口位置が調整されることで、アンテナから放射される電波は、遮蔽される方向や範囲が変えられ、所定の方向に向かう。これにより、所定の範囲内で電波の指向性を制御することができる。
【００２０】
請求項３に係る発明は、請求項２に記載の電波指向性制御装置において、前記遮蔽部本体と前記開口部調整部とは、それぞれ略半円筒状に形成されるとともに、前記開口部調整部が前記開口部を覆う状態にあるとき、略円筒状に組み合わされるように構成され、前記開口部調整部は、前記遮蔽部本体の曲面に沿ってスライド可能に構成されていることを特徴とする。
【００２１】
このような電波指向性制御装置によれば、開口部調整部をスライドするだけで、アンテナから放射される電波は、遮蔽される方向や範囲が変えられ、所定の方向に向かう。これにより、所定の範囲内で電波の指向性を制御することができる。
【００２４】
請求項４に係る発明は、請求項１から請求項３のいずれか１項に記載の電波指向性制御装置において、前記電子機器に対向する部位の少なくとも一部に、前記アンテナから放射される電波を吸収する電波吸収性を有することを特徴とする。
【００２５】
このような電波指向性制御装置によれば、アンテナから放射される電波のうち、各部位（第１遮蔽部、第２遮蔽部、第３遮蔽部、遮蔽部本体、開口部調整部）の電波吸収体に向けて放射された電波は減衰される。これにより、アンテナから放射された電波と、各部位から反射される電波の干渉現象や共振現象を防止することができる。
【００２６】
請求項５に係る発明は、請求項４に記載の電波指向性制御装置であって、前記電波吸収性は、λ／４型電波吸収体を有することで達成されることを特徴とする。
【００２７】
このような電波指向性制御装置によれば、特定周波数帯の電波に対して対応容易になる。
【００２８】
請求項６に係る発明は、請求項１から請求項５のいずれか１項に記載の電波指向性制御装置において、前記遮蔽部本体は、磁性体シートを備えたことを特徴とする。
【００２９】
このような電波指向性制御装置によれば、アンテナから放射された電波によって導電性板内部に発生する渦電流を効果的に防止することができる。これにより、電波が、遮蔽部本体の背後に回り込む現象を防止することができる。特に、開口部と反対側の背面の導電性板に磁性体シートを貼り付けることが好ましい。
【００３０】
請求項７に係る発明は、請求項４に記載の電波指向性制御装置において、前記電波吸収性は、広帯域電波吸収体を有することで達成されることを特徴とする。
【００３１】
このような電波指向性制御装置によれば、吸収可能な周波数帯域が広いので、多様な種類の前記電子機器を選択することが可能となる。広帯域電波吸収体とは、例えば、電波の入射する側から、抵抗膜シート（インピーダンス１０８８Ω）、スペーサ（３８ｍｍ）、抵抗膜シート（インピーダンス２８０Ω）、スペーサ（３８ｍｍ）、保護膜（アルミニウム板（箔）））の順で配置する構成などが挙げられる。
【００３２】
請求項８に係る発明は、請求項１から請求項７のいずれか１項に記載の電波指向性制御装置において、前記遮蔽部本体は、電波遮蔽性を有する金属製の筐体を備えたことを特徴とする。
【００３３】
このような電波指向性制御装置によれば、アンテナから放射された電波のうち筐体に向けて放射された電波が遮蔽部本体内部から漏洩することを確実に防止することができ、特定方向への電波の放射を効果的に防止できる。
【００３４】
請求項９に係る発明は、請求項８に記載の電波指向性制御装置において、前記筐体は、複数の金属部材を組み付けて構成されており、これらの複数の金属部材が溶接によって接合されていることを特徴とする。
【００３５】
このような電波指向性制御装置によれば、アンテナから放射された電波のうち筐体に向けて放射された電波が金属部材の接合部から漏洩することを確実に防止することができ、特定方向への電波の放射を効果的に防止できる。
【００３６】
請求項１０に係る発明は、請求項８または請求項９に記載の電波指向性制御装置において、前記筐体は、アルミニウムまたはアルミニウム合金から形成されたことを特徴とする。
【００３７】
このような電波指向性制御装置によれば、筐体の軽量化を図ることができ、表面を陽極酸化被膜などで処理することが可能となり、外観の美しい電波指向性制御装置を提供することができる。
【００３８】
請求項１１に係る発明は、請求項１から請求項１０のいずれか１項に記載の電波指向性制御装置において、前記遮蔽部本体は、電波妨害を防止しつつ、前記遮蔽部本体の外部から内部にケーブルを配線可能とするＥＭＩダクトを備えたことを特徴とする。
【００３９】
このような電波指向性制御装置によれば、電波妨害を防止しつつ、外部から内部にケーブルを配線することができる。ＥＭＩ（Electro Magnetic Interference：電磁妨害または電磁干渉）ダクトとは、磁性体テープなどに代表されるノイズ抑制シートをケーブルに巻きつけ、このケーブルの一部を遮蔽部本体に配設したダクトに通したものであり、絶縁抵抗性を有するガスケットを介して、遮蔽部本体に設けられている。このＥＭＩダクトによると、ケーブルの所定長さ（例えば、１００ｍｍ以上）がＥＭＩダクト内を通るように、ケーブルを配線することによって、電磁妨害を好適に防止できる。
【００４０】
請求項１２に係る発明は、請求項１１に記載の電波指向性制御装置において、前記ＥＭＩダクトを介して、前記遮蔽部本体の外部から内部にケーブルが配設されており、前記ケーブルは、ノイズを吸収するノイズ吸収体に被覆されたことを特徴とする。
【００４１】
このような電波指向性制御装置によれば、ケーブルからのノイズ発生を確実に防止することができ、電子機器の誤動作などを確実に防止できる。
【００４２】
請求項１３に係る発明は、請求項１から請求項１２のいずれか１項に記載の電波指向性制御装置において、前記遮蔽部本体は、その内部に照明を備えることを特徴とする。
【００４３】
このような電波指向性制御装置によれば、遮蔽部本体の内部を明るく照明することができる。なお、照明としては、白熱球やＬＥＤランプ（Light Emitting Diode Lump）などが挙げられるが、特に、ＬＥＤランプが好ましい。ＬＥＤランプは蛍光灯と異なり、点滅時にノイズが殆ど発生しないからである。
【００４４】
請求項１４に係る発明は、請求項１から請求項１３のいずれか１項に記載の電波指向性制御装置において、前記遮蔽部本体は、建物内部に設置された前記電子機器を覆うように配設されていることを特徴とする。
【００４５】
このような電波指向性制御装置によれば、建物内部に設置されている電子機器についても、遮蔽部本体の開口部を調整するだけで、電波の指向性を所定の範囲内で制御することができる。また、遮蔽部本体は、電波の遮蔽性および電波吸収性を有するため、電子機器から放射された電波のうち開口部以外の方向へ放射された電波は、遮蔽部本体内部において減衰するため干渉・共振現象を防止できる。
【発明の効果】
【００４６】
本発明によれば、一般ユーザが、電子機器の使用状態に応じて、電波の指向性を簡単に制御することができる。
【発明を実施するための最良の形態】
【００４７】
以下、本発明の実施の形態について、適宜図面を参照しながら詳細に説明する。なお、以下の実施の形態においては、対象の電子機器として無線ＬＡＮのルータに適用した場合について説明する。
【００４８】
［第１の実施の形態］
図１は、第１の実施の形態に係る電波指向性制御装置が使用される環境を示す図、図２は、第１の実施の形態に係る電波指向性制御装置の斜視図である。
【００４９】
図１に示すように、オフィスビルやマンション等の各部屋Ａ１，Ａ２には、無線ＬＡＮのルータＲが設置される。ルータＲは、ネットワーク間の通信を中継する装置であり、電波を送受信するアンテナＲａを有する。本実施形態に係る電波指向性制御装置１は、このルータＲの周囲に設置され、ルータＲのアンテナＲａの電波が各部屋Ａ１，Ａ２に互いに漏洩しないように、その電波の指向性を制御する装置である。
【００５０】
図２に示すように、電波指向性制御装置１は、背面部（第１遮蔽部）１１と、この背面部１１の上端部に連結されるルーバ（第２遮蔽部）１２と、背面部１１の下端部に固定される載置台１３と、を備えている。
【００５１】
背面部１１は、電波を反射する矩形状の金属板１１ａを有しており、この金属板１１ａの正面側（電波入射面側）に、この金属板１１ａとほぼ同一形状の電波吸収体１４をさらに有している。金属板１１ａは、例えば、アルミニウム、アルミニウム合金等である。電波吸収体１４の詳細については後記する。
【００５２】
ルーバ１２は、背面部１１の上端部にヒンジＨを介して連結されており、背面部１１に対して回動可能になっている。ルーバ１２は、背面部１１と同様に、電波を反射する矩形状の金属板１２ａを有しており、この金属板１２ａの正面側（電波入射側）に、金属板１２ａとほぼ同一形状の電波吸収体１４をさらに有している。金属板１２ａは、例えば、アルミニウム、アルミニウム合金等である。なお、ルーバ１２における電波吸収体１４の構造は、背面部１１における電波吸収体１４の構造と同一であるため、その詳細な説明については、後記する背面部１１における電波吸収体１４の説明を以って省略する。
【００５３】
載置台１３は、ルータＲを載置する台であり、背面部１１の下端部に直交するように固定され、各部屋Ａ１，Ａ２（図１参照）の室内に設置される際は水平に保持される。載置台１３は、載置台本体１３ａと、この載置台本体１３ａの上面に設けられ、電波吸収性を有する電波吸収シート１３ｂとを有している。これにより、ルータＲのアンテナＲａから放射された電波が、電波吸収シート１３ｂで吸収され、反射による電波の共振が抑えられるようになっている。
【００５４】
電波吸収シート１３ｂとしては、例えば、双極子型と称される電波吸収シートを使用することができる。双極子型の電波吸収シートとは、（１）カーボン粉末、酸化チタンなどの化合物から形成され、この化合物が有する電界を利用（例えば、電子配置の変化）することで電波を吸収するシートや、（２）例えば特許第３０４０９５３号公報に記載されるように、Ｍｎ−Ｚｎ系フェライト粉やカルボニル鉄などと、ＥＰＤＭ（エチレンプロピレンジエンモノマ）系ゴムとの化合物から形成され、この化合物が有する磁界を利用（例えば、磁界が変化）することで電波を吸収するシートや、（３）樹脂（例えば、ポリウレタン）と磁性体とが複合化されたシートである。具体的には、電波吸収シートとして、例えば、東洋サービス社製のルミディオン（登録商標）、日立金属社製のＨＴＤ−１０１などを使用することができる。なお、このような電波吸収シートは、広いバンドで電波を吸収するため、広帯域吸収体と称される場合もある。
【００５５】
図３は、背面部の側面の断面拡大図である。
図３に示すように、電波吸収体１４は、λ／４型電波吸収体であり、金属板１１ａ側から順に、スペーサ１４ａと、電波の１／２を透過させる機能を有する抵抗膜シート１４ｂと、この抵抗膜シート１４ｂを保護する保護膜１４ｃとを備えて構成されている。金属板１１ａと電波吸収体１４とは、背面部１１（またはルーバ１２）における電波遮蔽性および電波吸収性の機能を担う。
【００５６】
スペーサ１４ａは、ルータＲから放射される電波の波長をλとした場合、金属板１１ａと抵抗膜シート１４ｂとの間隔をλ／４に設定するためのものであり、λ／４の厚みＴ１を有している。スペーサ１４ａは、電波の透過性を有しており、例えば、発泡スチロールなどの発泡プラスチックから形成される。このように発泡スチロールから形成される場合、スペーサ１４ａの厚みＴ１を容易に調整可能となる。
【００５７】
抵抗膜シート１４ｂは、その表面抵抗値が自由空間のインピーダンス（３７６．６Ω）に略等しくなるように調整された薄いシートである。このような抵抗膜シート１４ｂとしては、炭素導電性塗料を適宜なベースシートに塗布したものや、ＩＴＯ膜の抵抗値を調整して成膜したものなどを使用することができる。
【００５８】
保護膜１４ｃは、抵抗膜シート１４ｂの表面に積層されており、抵抗膜シート１４ｂの表面を保護するようになっている。
【００５９】
そして、このような電波吸収体１４の表面は、平坦となっている。これにより、例えば、複数の凸状の電波吸収体を備える場合と比較して、全体としてその外形を小さくすることができる。
【００６０】
ここで、電波吸収体１４による電波吸収のメカニズムについて説明する。
ルータＲのアンテナＲａ（図１参照）から放射された電波Ｗ１が、保護膜１４ｃの垂直方向から入射した場合、保護膜１４ｃを通過した後、その１／２が抵抗膜シート１４ｂを通過し、１／２が抵抗膜シート１４ｂで反射する。ここで、抵抗膜シート１４ｂを通過した電波を電波Ｗ２、反射した電波を電波Ｗ３とする。電波Ｗ２は、スペーサ１４ａ内を進んだ後、金属板１１ａで反射し、電波Ｗ４となる。なお、抵抗膜シート１４ｂ、金属板１１ａでの反射の際に、電波の位相はそれぞれ反転する。
【００６１】
そうすると、金属板１１ａでの反射後、抵抗膜シート１４ｂに到達した電波Ｗ４は、抵抗膜シート１４ｂで反射した電波Ｗ３に対して、スペーサ１４ａの厚みＴ１の２倍、つまり、「λ／４×２＝λ／２」進んでおり、電波Ｗ３と電波Ｗ４の位相が反転することになる。したがって、電波Ｗ３と電波Ｗ４とは相互に打ち消し合い、その結果として、抵抗膜シート１４ｂに入射した電波Ｗ１は擬似的に吸収されるようになっている。
【００６２】
以上のように構成された電波指向性制御装置１の作用について、図４を参照しながら説明する。図４は、電波指向性制御装置の作用について説明する側面図である。
【００６３】
図４に示すように、電波指向性制御装置１は、載置台１３上にルータＲを載置した状態で、背面部１１が各部屋Ａ１，Ａ２の壁などに取り付けられている（図１参照）。この電波指向性制御装置１では、ルータＲのアンテナＲａから放射される電波が背面部１１により吸収され、背面側に隣接する部屋への漏洩が防止される。
【００６４】
電波指向性制御装置１では、ルーバ１２を背面部１１に対して回動させることで、ルータＲのアンテナＲａから放射される電波の指向性を制御する。つまり、背面部１１に対するルーバ１２の角度が大きい場合には、アンテナＲａから放射される電波が何の干渉もなく上方に向かい、例えば、図１に示す部屋Ａ２から階上の部屋Ａ１に電波が漏洩してしまうが、図４に示すように、背面部１１に対するルーバ１２の角度を小さくすれば、アンテナＲａから放射される電波をルーバ１２に反射させて、上方に向かう電波を遮蔽し、下方に向かうように制御することができる。なお、この角度は適宜設定することができるものである。
【００６５】
以上によれば、本実施の形態において以下の効果を得ることができる。
このような電波指向性制御装置１によれば、ルータＲの周囲に設置されることで、そのルータＲが有するアンテナＲａは、放射する電波を背面部１１とルーバ１２とにより遮蔽される。
【００６６】
また、ルーバ１２を適宜回動させることで、アンテナＲａから放射される電波は、遮蔽される方向や範囲が変えられ、所定の方向に向かう。これにより、アンテナＲａの指向性を制御することができる。
【００６７】
さらに、背面部１１とルーバ１２とは、電波吸収性を有するため、ルータＲのアンテナＲａから放射された電波のうち背面部１１とルーバ１２に向けて放射された電波は減衰される。これにより、アンテナＲａから放射された電波と、背面部１１とルーバ１２から反射される電波の干渉現象や共振現象を防止することができる。
【００６８】
以上、本実施の形態について説明したが、本発明は前記実施形態に限定されず、種々の形態で実施することができる。
【００６９】
図５は、第１の実施の形態の変形例に係る電波指向性制御装置の側面図である。
図５に示すように、変形例に係る電波指向性制御装置１Ａにおいて、前記した電波指向性制御装置１のルーバ１２に（図４参照）、スライド部１５を設けてもよい。スライド部１５は、前記背面部１１と同一の構造を有するスライド体１５ａと、スライド体ケース１５ｂとから構成し、スライド体ケース１５ｂからスライド体１５ａを出没自在に構成する。この電波指向性制御装置１では、スライド体１５ａをスライド体ケース１５ｂから引き出すことで、アンテナＲａから上方に放射される電波が反射する範囲を広く確保することができ、その指向性をよりよく制御することができる。
【００７０】
前記実施形態では、電波吸収体１４を、λ／４型電波吸収体としたが、この電波吸収体は特に限定されるものではない。例えば、前記した電波吸収シート１３ｂの広帯域電波吸収体、つまり、金属板１１ａ（または１２ａ）側から、抵抗膜シート（インピーダンス１０８８Ω）、スペーサ（３８ｍｍ）、抵抗膜シート（インピーダンス２８０Ω）、スペーサ（３８ｍｍ）、保護膜（アルミニウム板（箔））の順で配置する構成としてもよい。このような構成によれば、８８０ＭＨｚ周辺および２０５０ＭＨｚ周辺の２種の電波を吸収することができる。
【００７１】
また、金属板１１ａ，１２ａの材質は、アルミニウム等に限られるものではなく、導電性を有していれば、スチール、ステンレスや銅など他の材質であってもよい。
【００７２】
［第２の実施の形態］
次に、第２の実施の形態に係る電波指向性制御装置について説明する。
図６は、第２の実施の形態に係る電波指向性制御装置の斜視図である。なお、第２の実施の形態においては、第１の実施の形態と同一の構成については、同一の符号を付し、その説明を省略する。
【００７３】
図６に示すように、第２の実施の形態に係る電波指向性制御装置２は、アンテナＲａを有するルータＲの周囲に設置される。そして、電波指向性制御装置２は、第１の実施の形態と同様に、アンテナＲａの電波が所定の方向に漏洩しないように、その電波の指向性を制御する。
【００７４】
電波指向性制御装置２は、背面部（第１遮蔽部）２１と、この背面部２１の両端部にヒンジＨを介して取り付けられるルーバ（第２，第３遮蔽部）２２，２２と、を備えている。換言すると、背面部２１の一方の端部にルーバ２２が取り付けられ、その反対側の端部にルーバ２２が取り付けられている。
【００７５】
背面部２１は、電波を反射する矩形状の金属板２１ａを有しており、この金属板２１ａの正面側（電波入射面側）に、この金属板２１ａとほぼ同一形状の電波吸収体１４をさらに有している。金属板２１ａは、例えば、アルミニウム、アルミニウム合金等である。
【００７６】
ルーバ２２，２２は、背面部２１の両側部にヒンジＨを介して連結されており、背面部２１に対して回動可能になっている。ルーバ２２は、背面部２１と同様に、電波を反射する矩形状の金属板２２ａを有しており、この金属板２２ａの正面側（電波入射側）に、金属板２２ａとほぼ同一形状の電波吸収体１４をさらに有している。金属板２２ａは、例えば、アルミニウム、アルミニウム合金等である。なお、ルーバ２２と背面部２１の電波吸収のメカニズムについては、第１の実施の形態と同様である。
【００７７】
以上のように構成された電波指向性制御装置２の作用について、図７を参照しながら説明する。図７は、電波指向性制御装置の作用について説明する平面図である。
【００７８】
図７に示すように、電波指向性制御装置２は、図示しない各部屋において、ルータＲの周囲に設置される。この電波指向性制御装置２では、ルータＲのアンテナＲａから放射される電波を背面部２１により吸収させ、背面側への電波の漏洩を防止する。
【００７９】
また、電波指向性制御装置２では、ルーバ２２，２２を背面部２１に対して回動させることで、ルータＲのアンテナＲａから放射される電波の指向性を制御する。つまり、背面部２１に対するルーバ２２，２２の角度が大きい場合には、アンテナＲａからの電波が何の干渉もなく、広い範囲に放射され、左右方向にも電波が漏洩してしまうが、図７に示すように、背面部２１に対するルーバ２２の角度を小さくすれば、アンテナＲａから放射される電波をルーバ２２に反射させて、左右に向かう電波を遮蔽し、狭い範囲に放射されるように制御することができる。なお、この角度は適宜設定することができるものである。
【００８０】
以上によれば、本実施の形態において以下の効果を得ることができる。
このような電波指向性制御装置２によれば、ルータＲの周囲に設置されることで、そのルータＲが有するアンテナＲａは、放射する電波を背面部２１とルーバ２２とにより遮蔽される。
【００８１】
また、ルーバ２２を適宜回動させることで、アンテナＲａから放射される電波は、遮蔽される方向や範囲が変えられ、所定の方向に向かう。これにより、アンテナＲａの指向性を制御することができる。
【００８２】
さらに、背面部２１とルーバ２２とは、電波吸収性を有するため、ルータＲのアンテナＲａから放射された電波のうち背面部１１とルーバ１２に向けて放射された電波は減衰される。これにより、アンテナＲａから放射された電波と、背面部１１とルーバ１２から反射される電波の干渉現象や共振現象を防止することができる。
【００８３】
以上、本実施の形態について説明したが、本発明は前記実施形態に限定されず、種々の形態で実施することができる。
【００８４】
例えば、ルーバ２２に用いられる電波吸収体１４の厚みを、基端側から先端側に向けて（電波の放射する方向に合わせて）徐々に小さくなるように設定してもよい。ルータＲのアンテナＲａから放射された電波のルーバ２２への入射角度は、先端側ほど小さくなるため、前記した構成によれば電波を効果的に吸収することができる。なお、予め使用される電波の周波数、入射角度を考慮して電波吸収体１４を設計しておくことで、電波吸収特性を効果的に発揮させることができる。
【００８５】
［第３の実施の形態］
次に、第３の実施の形態に係る電波指向性制御装置について説明する。
図８は、第３の実施の形態に係る電波指向性制御装置の斜視図であり、図９（ａ）は、電波指向性制御装置の作用を説明する平面断面図、（ｂ）は（ａ）のスライド扉の要部拡大図である。なお、第３の実施の形態においては、第１の実施の形態と同一の構成については、同一の符号を付し、その説明を省略する。
【００８６】
図８に示すように、第３の実施の形態に係る電波指向性制御装置３は、アンテナＲａを有するルータＲを内部に設置する。そして、電波指向性制御装置３は、第１の実施の形態と同様に、アンテナＲａの電波が所定の方向に漏洩しないように、その電波の指向性を制御する。
【００８７】
電波指向性制御装置３は、遮蔽部本体３１と、この遮蔽部本体３１に設けられた一対のスライド扉（開口部調整部）３２，３２と、このスライド扉３２，３２の相対向する端部に設けられるフランジ部３３，３３と、を備えている。
【００８８】
遮蔽部本体３１は、例えば、アルミニウム、または、アルミニウム合金等の金属から断面略コの字状に形成された本体部（筐体）３１ａと、この本体部３１ａの内面側に設けられる電波吸収体１４と、を有している。この遮蔽部本体３１の天板と底板の相対向する面には、それぞれ、その外周縁に沿うように、レール３１ｂが設けられている。このレール３１ｂの両端部は、図９（ａ）に示すように、背面側では交差しないように平行に伸びている。本体部３１ａは、例えば、アルミニウム、アルミニウム合金等の金属から形成される。
【００８９】
図９（ｂ）に示すように、スライド扉３２，３２は、細長い矩形状の複数の金属部材３２ａと、この金属部材３２ａの内面側に設けられる電波吸収体１６と、を有している。
【００９０】
金属部材３２ａは、例えば、アルミニウム、アルミニウム合金等の押出材からなるもので、長手方向に沿って両端部が屈曲した形状に形成され、その内側に嵌まり込むように電波吸収体１６が配設されている。この電波吸収体１６は、電波を吸収する機能を有するものであれば特に限定されるものではなく、前記した電波吸収体１４と同一のものでもよい。また、金属部材３２ａの先端部には、球状の嵌合部Ｋ１と、この嵌合部Ｋ１に外嵌可能な断面Ｃ字状の嵌合部Ｋ２とが形成されている。複数の金属部材３２ａは、互いに隣接する金属部材３２ａの嵌合部Ｋ１に嵌合部Ｋ２を外嵌し、それぞれが連結される。
【００９１】
フランジ部３３，３３は、矩形状の金属板３３で構成されており、連結された前記複数の金属部材３２ｂのうち、両端の金属部材３２ａ，３２ａに、ヒンジＨを介して、取り付けられている。なお、遮蔽部本体３１、スライド扉３２の電波吸収のメカニズムについては、第１の実施の形態と同様である。
【００９２】
このように構成されたスライド扉３２，３２は、さらに、その上側端面または下側端面に図示しないローラを有し、このローラが遮蔽部本体３１のレール３１ｂ（図９（ａ）参照）に嵌め込まれる。そして、各フランジ部３３同士が対面して当接した状態で、スライド扉３２，３２のフランジ部３３，３３と反対側の端部側が、遮蔽部本体３１の背面側まで延び、遮蔽部本体３１の開口部を全て覆うようになっている。また、スライド扉３２，３２は、レール３１ｂに沿って、それぞれ移動可能になっており、適宜移動させることで、遮蔽部本体３１とスライド扉３２によって形成される開口部３１ｃ（図９（ａ）参照）の面積および位置を調整可能になっている。
【００９３】
以上のように構成された電波指向性制御装置３の作用について、説明する。
図９（ａ）に示すように、電波指向性制御装置３は、ルータＲを内部に設置している。この電波指向性制御装置３では、ルータＲのアンテナＲａから放射される電波を遮蔽部本体３１により吸収させ、背面側、上面側、および、下面側の所定の方向への電波の漏洩を防止する。
【００９４】
また、電波指向性制御装置３では、スライド扉３２，３２をレール３１ｂに沿って適宜移動させることで、ルータＲのアンテナＲａから放射される電波の指向性を制御する。具体的には、スライド扉３２，３２のフランジ部３３，３３側を互いに離間する方向に移動させることで、開口部３１ｃの面積を大きくすることができ、アンテナＲａからの電波を広い範囲に放射させることができる。また、スライド扉３２，３２のフランジ部３３，３３側を互いに近接する方向に移動させることで、開口部３１ｃの面積を小さくすることができ、アンテナＲａからの電波をある所定の狭い範囲の方向にのみ放射されるように制御することができる。
【００９５】
また、スライド扉３２，３２の開き方をそれぞれ変えることで、開口部３１ｃの位置を変えることができる。例えば、スライド扉３２，３２のうち、一方のみを開くことで、その一方側に開口部３１ｃの位置を寄せることができる。これにより、電波が放射される開口部３１ｃの面積および位置を適宜設定することができる。
【００９６】
さらに、フランジ部３３，３３を適宜回動させることができるので、例えば、フランジ部３３，３３を開口部３１ｃに対して直交するように立てることで、アンテナＲａから放射された電波が、開口部３１ｃの縁部で回折する現象を防止することができ、電波の指向性を所定の範囲内でより確実に制御することができる。
【００９７】
以上によれば、本実施の形態において以下の効果を得ることができる。
このような電波指向性制御装置３によれば、ルータＲを内部に設置することで、そのルータＲが有するアンテナＲａは、放射する電波を遮蔽部本体３１とスライド扉３２，３２とにより遮蔽される。
【００９８】
また、スライド扉３２，３２を適宜移動させることで、アンテナＲａから放射される電波は、遮蔽される方向や範囲が変えられ、換言すると、開口部３１ｃの面積および位置が変えられ、所定の方向に向かう。これにより、アンテナＲａの指向性を制御することができる。
【００９９】
さらに、遮蔽部本体３１とスライド扉３２，３２とは、電波吸収性を有するため、ルータＲのアンテナＲａから放射された電波のうち遮蔽部本体３１とスライド扉３２，３２に向けて放射された電波は減衰される。これにより、アンテナＲａから放射された電波と、遮蔽部本体３１とスライド扉３２，３２から反射される電波の干渉現象や共振現象を防止することができる。
【０１００】
以上、本実施の形態について説明したが、本発明は前記実施形態に限定されず、種々の形態で実施することができる。
【０１０１】
前記実施形態では、フランジ部３３をスライド扉３２に回動可能に取り付けたが、このフランジ部３３は省略してもよいし、フランジ部３３をスライド扉３２に固定してもよい。
【０１０２】
前記実施形態では、スライド扉３２の金属部材３２ａにそのまま電波吸収体１４を設ける構成としたが、例えば、金属部材３２ａに磁性体のコーティングをしてもよい。
【０１０３】
前記実施形態では、遮蔽部本体３１を断面略コの字状に形成したが、遮蔽部本体３１の形状は限定されるものではなく、直方体のある一面のみが開口した箱型等に形成するものであってもよい。
【０１０４】
図１０は、第３の実施の形態の変形例に係る電波指向性制御装置の平面断面図である。
図１０に示すように、電波指向性制御装置３Ａは、一面のみが開口した箱型の遮蔽部本体３５と、この遮蔽部本体３５の開口端部にヒンジＨを介して回動可能に取り付けられた一対の扉部３６，３６とで構成することもできる。
【０１０５】
遮蔽部本体３５は、例えば、アルミニウムまたはアルミニウム合金等で形成された５枚の金属板３５ａを箱型に組み立てた状態で溶接し、これらの各金属板３５ａの内面側に電波吸収体１４を設けている。また、遮蔽部本体３５の内側にはＬＥＤランプ（照明）３７を設けて内部を照らすことができるようになっている。ＬＥＤランプ３７は、点滅時にノイズが殆ど発生しないので好適である。さらに、遮蔽部本体３５の外側には、ＥＭＩダクト３８を設けている。ルータＲのケーブルＣにはノイズ吸収体を被覆し、このケーブルＣをＥＭＩダクト３８の内部に挿通して、遮蔽部本体３５内に配線可能になっている。これにより、電磁妨害を好適に防止できる。なお、遮蔽部本体３５の金属板３５ａには、磁性体シートを設けることもできる。磁性体シートを設けることで、金属板３５ａに発生する渦電流を防止することができる。
【０１０６】
磁性体シートは、磁性体粒子のフィラーをバインダに溶かして、ＰＥＴなどの基材に印刷または塗布するなどして、基材の一方の面に磁性体粒子を薄層として形成したシートである。この磁性体粒子を形成した面を金属板３５ａの内面に貼り付ける。このように磁性体シートを貼り付けると磁性体粒子の薄層が金属板３５ａの内面に密着する配置となる。金属板３５ａの界面では電磁波の磁界強度が高くなるが、磁性体シートを貼り付けると、磁性体粒子の薄層が金属板３５ａの内面に密着されて効果的に電磁波吸収特性が発揮される。
【０１０７】
磁性体シートの厚さは、１００〜５００μｍが好ましい。厚さが１００μｍ未満の場合、磁性体粒子が電磁界に対して充分に機能しない厚さであるため好ましくない。厚さが５００μｍを超える場合、磁性体粒子が発揮する効果が薄れる領域の厚さであるため好ましくない。磁性体の平均粒径は、５〜３０μｍが好ましい。平均粒径が５μｍ未満の場合、磁性体粒子同士が凝集してしまい均一な薄層を形成できないため好ましくない。磁性体の平均粒径が３０μｍ未満を超える場合、電波吸収特性が低下するため好ましくない。磁性体の形状は、扁平状または針状であることが好ましい。扁平磁性体の場合では扁平度が１０以上が好ましい。扁平度が１０未満の場合、薄層を形成するために平均粒径を非常に小さくする必要があり効率的に薄層を形成することが困難になる。磁性体の透磁率は高いほうがよく、透磁率１０００[ＮＡ−２]以上であることが好ましく、さらに好ましくは、５０００[ＮＡ−２]以上である。
【０１０８】
［第４の実施の形態］
次に、第４の実施の形態に係る電波指向性制御装置について説明する。
図１１は、第４の実施の形態に係る電波指向性制御装置の斜視図であり、図１２は、電波指向性制御装置の作用を説明する平面断面図である。なお、第４の実施の形態においては、第１の実施の形態と同一の構成については、同一の符号を付し、その説明を省略する。
【０１０９】
図１１に示すように、第３の実施の形態に係る電波指向性制御装置４は、アンテナＲａを有するルータＲを内部に設置する。そして、電波指向性制御装置４は、第１の実施の形態と同様に、アンテナＲａの電波が各部屋に互いに漏洩しないように、その電波の指向性を制御する。
【０１１０】
電波指向性制御装置４は、遮蔽部本体４１と、この遮蔽部本体４１に設けられたスライド扉（開口部調整部）４２と、を備えている。
【０１１１】
遮蔽部本体４１は、全体として半円筒状に形成されており、上面は大きな半円と小さな半円が対向したような形状に形成されている。また、遮蔽部本体４１の開口端部の一方には上下方向に沿ってフランジ部４３Ａが設けられている。このような遮蔽部本体４１は、例えば、アルミニウム、または、アルミニウム合金等の金属から前記した形状に形成された本体部（筐体）４１ａと、この本体部４１ａの内面側に設けられる電波吸収体１４と、を有している。
【０１１２】
スライド扉４２は、遮蔽部本体４１よりも一回り小さい半円筒状に形成されており、遮蔽部本体４１の内部に収容されるようになっている。スライド扉４２の上面は遮蔽部本体４１の上面にピンＰを介して取り付けられることで、遮蔽部本体４１に対して回動可能に構成されている。スライド扉４２が遮蔽部本体４１と組み合わされた状態では、略円筒状になっている。そして、スライド扉４２の回動により遮蔽部本体４１の開口部４１ｃの面積を適宜調整することができる。また、スライド扉４２の底面はルータＲが設置可能なように円形に形成されている。スライド扉４２の開口端部の一方には上下方向に沿ってフランジ部４３Ｂが形成されている。このように構成されたスライド扉４２は、例えば、アルミニウム、または、アルミニウム合金等の金属から前記した形状に形成された本体部４２ａと、この本体部４１ａの内面側に設けられる電波吸収体１４と、を有している。なお、遮蔽部本体４１、および、スライド扉４２の電波吸収のメカニズムについては、第１の実施の形態と同様である。
【０１１３】
以上のように構成された電波指向性制御装置４の作用について、説明する。
図１２に示すように、電波指向性制御装置４は、図示しない各部屋において、ルータＲを内部に設置して載置される。この電波指向性制御装置４では、ルータＲのアンテナＲａから放射される電波を遮蔽部本体４１により吸収させ、背面側、上面側、および、下面側の所定の方向への電波の漏洩を防止する。
【０１１４】
また、電波指向性制御装置４では、スライド扉４２を適宜回動させることで、ルータＲのアンテナＲａから放射される電波の指向性を制御する。具体的には、スライド扉４２のフランジ部４３Ｂ側を、フランジ部４３Ａ側から離間する方向に回動させることで、開口部４１ｃの面積を大きくすることができ、アンテナＲａからの電波を広い範囲に放射させることができる。また、スライド扉４２のフランジ部４３Ｂ側をフランジ部４３Ａ側に近接する方向に回動させることで、開口部４１ｃの面積を小さくすることができ、アンテナＲａからの電波をある所定の狭い範囲の方向にのみ放射されるように制御することができる。
【０１１５】
以上によれば、本実施の形態において以下の効果を得ることができる。
このような電波指向性制御装置４によれば、ルータＲを内部に設置することで、そのルータＲが有するアンテナＲａは、放射する電波を遮蔽部本体４１とスライド扉４２とにより遮蔽される。
【０１１６】
また、スライド扉４２を適宜回動させることで、アンテナＲａから放射される電波は、遮蔽される方向や範囲が変えられ、換言すると、開口部４１ｃの面積および位置が変えられ、所定の方向に向かう。これにより、アンテナＲａの指向性を制御することができる。
【０１１７】
さらに、遮蔽部本体４１とスライド扉４２とは、電波吸収性を有するため、ルータＲのアンテナＲａから放射された電波のうち遮蔽部本体４１とスライド扉４２に向けて放射された電波は減衰される。これにより、アンテナＲａから放射された電波と、遮蔽部本体４１とスライド扉４２から反射される電波の干渉現象や共振現象を防止することができる。
【０１１８】
そして、フランジ部４３Ａ，４３Ｂで、アンテナＲａから放射された電波が、開口部４１ｃの縁部で回折する現象を防止することができ、電波の指向性を所定の範囲内でより確実に制御することができる。
【０１１９】
以上、本実施の形態について説明したが、本発明は前記実施形態に限定されず、種々の形態で実施することができる。
【０１２０】
前記実施形態では、フランジ部４３Ａ，４３Ｂを、遮蔽部本体４１やスライド扉４２の一部として構成したが、別途取付可能に構成するものであってもよい。
【図面の簡単な説明】
【０１２１】
【図１】第１の実施の形態に係る電波指向性制御装置が使用される環境を示す図である。
【図２】第１の実施の形態に係る電波指向性制御装置の斜視図である。
【図３】背面部の側面の断面拡大図である。
【図４】電波指向性制御装置の作用について説明する側面図である。
【図５】第１の実施の形態の変形例に係る電波指向性制御装置の側面図である。
【図６】第２の実施の形態に係る電波指向性制御装置の斜視図である。
【図７】電波指向性制御装置の作用について説明する平面図である。
【図８】第３の実施の形態に係る電波指向性制御装置の斜視図である。
【図９】（ａ）は、電波指向性制御装置の作用を説明する平面断面図、（ｂ）は（ａ）のスライド扉の要部拡大図である。
【図１０】第３の実施の形態の変形例に係る電波指向性制御装置の平面断面図である。
【図１１】第４の実施の形態に係る電波指向性制御装置の斜視図である。
【図１２】電波指向性制御装置の作用を説明する平面断面図である。
【符号の説明】
【０１２２】
１，１Ａ，２，３，３Ａ，４  電波指向性制御装置
１１    背面部
１２    ルーバ
１４    電波吸収体
１５    スライド部
２１    背面部
２２    ルーバ
３１    遮蔽部本体
３１ｃ  開口部
３２    スライド扉
３３    フランジ部
３５    遮蔽部本体
３６    扉部
３７    ＬＥＤランプ
３８    ＥＭＩダクト
４１    遮蔽部本体
４１ｃ  開口部
４２    スライド扉
４３Ａ，４３Ｂ  フランジ部
Ｈ      ヒンジ
【図１】
0004715643.tif 000002
【図２】
0004715643.tif 000003
【図３】
0004715643.tif 000004
【図４】
0004715643.tif 000005
【図５】
0004715643.tif 000006
【図６】
0004715643.tif 000007
【図７】
0004715643.tif 000008
【図８】
0004715643.tif 000009
【図９】
0004715643.tif 000010
【図１０】
0004715643.tif 000011
【図１１】
0004715643.tif 000012
【図１２】
0004715643.tif 000013